(57)【要約】【課題】操作部周辺の薄型化を図った画像処理装置、及び利便性の向上を図った画像処理装置を提供する。【解決手段】パネル部１を、画像処理装置本体の設置時における上部かつ手前側に突出された部分に設け、操作部の内側に配設されたパネル基板１６の裏面に、電解コンデンサ１７を半田付けする。カードスロット部５はパネル部１の下方かつ近傍に配設する。【選択図】　図２
2004098347.tif 000002
【特許請求の範囲】
【請求項１】
ユーザにより画像処理のための操作が行われる操作部と、
該操作部の内側に配設され、各種部品が搭載された操作部基板と、
該操作部基板に搭載された部品に印加される電圧を安定化する電解コンデンサと、を備えた画像処理装置であって、
前記電解コンデンサは、前記操作部基板における操作部とは反対側の面に配設されることを特徴とする画像処理装置。
【請求項２】
シートに画像を形成するための画像形成手段と、
原稿から画像情報を読取るための画像読取手段と、を有し、
前記操作部は、前記画像形成手段または前記画像読取手段を操作し、
前記画像形成手段の上方に前記画像読取手段を設け、前記画像読取手段の前方に前記操作部を設けることを特徴とする請求項１に記載の画像処理装置。
【請求項３】
装置本体に対して着脱可能なカード状媒体を収納するためのカードスロット部を有し、
前記操作部と前記カードスロット部との間に前記操作部基板を設け、
前記操作部を傾斜して設け、前記カードスロット部を略水平に設けることを特徴とする請求項１又は２に記載の画像処理装置。
【請求項４】
装置本体の上部かつ手前側に突出する突出部を設け、
前記突出部に前記操作部と前記カードスロット部とを設けることを特徴とする請求項３に記載の画像処理装置。
【発明の詳細な説明】
【０００１】
【発明の属する技術分野】
本発明は、例えば、ファクシミリ、複写機、複合機などの画像読取機能や画像形成機能を有する画像処理装置に関するものである。
【０００２】
【従来の技術】
従来、この種の画像処理装置としては、たとえば、図１８に示すものがある。図１８は従来技術に係る画像処理装置の模式的斜視図である。
【０００３】
この従来例に示す画像処理装置は、画像を読み取るスキャナ部５０１と、ユーザが装置の操作を行う操作部５０２と、シートに画像を形成する画像形成部５０３と、を備えている。
【０００４】
そして、操作部５０２の内側には、操作部５０２の制御部品等を搭載した不図示の操作部基板が設けられており、その操作部基板の表面側（操作部５０２側）には、各種制御部品に印加する電圧を安定させるための不図示の電解コンデンサが実装されていた。
【０００５】
また、画像形成部５０３には、記録媒体などの媒体となるカードを差し込むカードスロット５０４が設けられている。
【０００６】
【発明が解決しようとする課題】
しかしながら、基板の表面に電解コンデンサが実装されていると、電解コンデンサの高さが高いために、基板表面から操作部までの薄型化が困難であるという不具合点があった。
【０００７】
本発明の目的は、操作部周辺の薄型化を図った画像処理装置を提供することにある。
【０００８】
【課題を解決するための手段】
上記目的を達成するために本発明にあっては、ユーザにより画像処理のための操作が行われる操作部と、該操作部の内側に配設され、各種部品が搭載された操作部基板と、該操作部基板に搭載された部品に印加される電圧を安定化する電解コンデンサと、を備えた画像処理装置であって、
前記電解コンデンサは、前記操作部基板における操作部とは反対側の面に配設されることを特徴とする。
【０００９】
本発明の構成によれば、電解コンデンサが基板の操作部とは反対側の面に配設されているため、操作部基板表面から操作部までの距離を短くすることができる。
【００１０】
また、本発明にあっては、シートに画像を形成するための画像形成手段と、原稿から画像情報を読取るための画像読取手段と、を有し、操作部は、画像形成手段または画像読取手段を操作し、画像形成手段の上方に画像読取手段を設け、画像読取手段の前方に操作部を設けることを特徴とする。
【００１１】
また、本発明にあっては、装置本体に対して着脱可能なカード状媒体を収納するためのカードスロット部を有し、操作部とカードスロット部との間に操作部基板を設け、操作部を傾斜して設け、カードスロット部を略水平に設けることを特徴とする。
【００１２】
また、本発明にあっては、装置本体の上部かつ手前側に突出する突出部を設け、突出部に操作部とカードスロット部とを設けることを特徴とする。
【００１３】
本発明の構成によれば、画像処理装置本体の操作を行う操作部と、カード状媒体を収納するカードスロット部がいずれも画像処理装置本体の上部かつ手前側に突出する突出部に配設されるため、ユーザの操作を行う場所が該突出部に集中化する。
【００１４】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００１５】
図１〜図１７を参照して、本発明の実施の形態に係る画像処理装置について説明する。
【００１６】
図１は本発明の実施の形態に係る画像処理装置の外観斜視図である。図２は本発明の実施の形態に係る画像処理装置の中央断面図である。
【００１７】
本実施の形態に係る画像処理装置は、概略、ユーザが画像処理装置本体の操作を行うための操作部が表面に設けられたパネル部１と、画像情報の読取機能を有する画像読取手段としての画像読取部２と、画像をシート上に形成する機能を有する画像形成手段としての画像形成部３と、各種制御部品等の電気部品（電子部品）を搭載する電気基板部と、装置本体に対して着脱可能な記憶媒体などのカード状媒体を収納するための媒体収納部としてのカードスロット部５とから構成されている。
【００１８】
まず、パネル部１について、特に図３〜図５を参照して説明する。
【００１９】
図３はパネル部の拡大斜視図である。図４はパネル部の部分断面図である。図５はパネルユニットの裏面図である。
【００２０】
パネル部１は、画像処理装置本体の設置時における上部かつ手前側に突出された部分に設けられている。パネル部１の表面側の各種キー操作を行うことで画像処理装置本体の各種動作を行わせることができる。すなわち、パネル部１の表面が操作部を構成する。
【００２１】
パネル部１においては、パネルカバー１１にキー１２ａ〜ｆがはまっており、操作部基板としてのパネル基板１６がネジ止めされている。操作部とパネル基板１６とは接続されており操作部になされた操作に応じてパネル基板１６において電気的な処理が行われる。なお、キー１２ａ，キー１２ｂ，キー１２ｃは、図示していない個所で一体的に構成されている。パネル基板１６上には、タクトスイッチ１９がキー１２の下に半田付けされている。また、パネル基板１６上には、スペーサ１５を介して、ＬＣＤ１４が装着されている。このＬＣＤ１４の上にはＬＣＤ窓１３が取り付けてある。
【００２２】
また、操作部の内側に配設されたパネル基板１６の裏面には、電解コンデンサ１７が半田付けされている。この電解コンデンサ１７は、パネル基板１６に搭載された電気（電子）部品に印加する電圧を安定化させるために設けられるものである。
【００２３】
このように、本実施の形態においては、電解コンデンサ１７がパネル基板１６の裏面（操作部とは反対側の面）に配設されている。従って、パネル基板１６の表面からパネル表面（操作部）までの薄型化を図ることが可能となる。これにより、コストダウンや配置自由度の向上を図ることができる。
【００２４】
次に、カードスロット部５について説明する。
【００２５】
図１に示すように、カードスロット部５はパネル部１の下方かつ近傍に配設されており、本体の正面（手前）に配置されている。すなわち、カードスロット部５も、画像処理装置本体の設置時における上部かつ手前側に突出された部分に設けられている。
【００２６】
図６はパネル部１を取り外した状態を示す斜視図である。
【００２７】
カードスロット部５は、概略、カード基板５１と、カードコネクタ部５２と、イジェクトボタン５３から構成されている。そして、本体上の挿入口５４（図１参照）から媒体としてのＰＣカードが挿入できるようになっている。また、挿入されたＰＣカードはイジェクトボタン５３を押すことにより、取り外しが出来る。このＰＣカードは、ＰＣＭＣＩＡ（Ｐｅｒｓｏｎａｌ　Ｃｏｍｐｕｔｅｒ　Ｍｅｍｏｒｙ　Ｃａｒｄ　Ｉｎｔｅｒｎａｔｉｏｎａｌ　Ａｓｓｏｃｉａｔｉｏｎ）の規格に準拠したカードのことである。例えば、このカードの一例として、情報を記憶可能な記憶媒体が挙げられる。また、記憶媒体であるカードの一例として、コンパクトフラッシュ（登録商標），スマートメディア（商標），メモリースティック（商標），ＳＤカードなどの各種メモリーカードが挙げられる。そして、本実施の形態においては、これら各メモリーカードに対応したアダプタによって、装置本体への着脱を可能としている。なお、カードスロット部５に着脱する媒体は、記憶媒体には限られず、他の機能（例えば通信機能）を有する媒体も含まれる。
【００２８】
カードスロット部５を設けることによって、装置本体外部からの情報のやり取りなどを行うことが可能となる。例えば、デジタルカメラの画像等を、ＰＣカードを通じて、本体に読み込ませ、それらを画像形成部３によって直接印刷させることができる。また、ＰＣ（パソコン）と直接接続することにより、ＰＣによってメモリーカードからのデータの読み出し、あるいは、メモリーカードへのデータの書き込みをすることもできる。
【００２９】
以上のように、本実施の形態においては、画像処理装置本体の設置時における上部かつ手前側に突出された部分に操作部及びカードスロット部５を配設した。そして、カードスロット部５は、操作部近傍かつ下方に配置するようにした。
【００３０】
従って、画像処理装置の操作と媒体の装着操作を行う場所が集中するため、使い勝手が向上する。また、これらは、装置全体の上方部でもあるため操作性が良い。以上のように、ユーザの利便性が向上した。
【００３１】
また、操作部の下方に配設した操作基板の下方にカードスロット部５を設けており、さらに、操作部及びパネル基板１６を傾斜して設け、カードスロット部５を略水平に設けている。そして、傾斜して設けた操作部と略水平に設けたカードスロット部５との間にできる空間に電解コンデンサ１７が設けられている。このような構成によりスペースが有効に利用され装置が小型化した。
【００３２】
次に画像読取部２の説明をする。
【００３３】
図７は、原稿をセットする際の様子を示す画像処理装置の斜視図である。
【００３４】
画像読取部２においては、原稿を裏向きにセットするガラス２３が設けられ、突き当て基準白１２３がガラス２３の上面から貼り付けてある。突き当て基準白１２３は、原稿の端部の突き当て部となると同時にガラス２３を通して裏側からの読み取りの絶対白基準となる役割がある。ガラス２３はカバー１２５により、上から押えられている。
【００３５】
また、画像読取部２には、原稿の浮きを押える圧板２１と、スポンジと白色シートで構成されている圧板白シート２２がヒンジ１２４ａ，１２４ｂを介して取り付けられている。
【００３６】
図８は、図７に示すガラス２３及びカバー１２５を外した状態で、画像読取部２の内部構造が分かるようにしたものである。
【００３７】
画像読取部の内部部品は、全てスキャナフレーム１２０に取り付けられている。画像を読み取るコンタクトイメージセンサー（以下、ＣＩＳと称する）２４を保持しているＣＩＳホルダー２７が、軸２５の上をガイドされて動くようになっている。また、ＣＩＳホルダー２７はモータ２８（図２参照）を動力として、駆動ギア部１２２で減速され、タイミングベルト２６を介して駆動されている。タイミングベルト２６は駆動ギア部１２２の対向部にプーリー２９に掛けられている。
【００３８】
これらの動作について説明すると、コピーやＰＣからのスキャン動作の時に、ＣＩＳ２４とＣＩＳホルダー２７が、矢印Ａの方向に駆動され、ガラス２３を介して原稿を読み取る。
【００３９】
次に、画像形成部３について説明する。
【００４０】
図２で示すように、矢印Ｂの方向に記録紙１００ａは搬送される。トレイなどを開いた状態にした外観図が図９である。
【００４１】
図２と合わせて説明するとＡＳＦベース３０と中板３６にセットされた記録紙１００ａの先端部は記録紙トレイ３２と記録紙補助トレイ３１により、保持されている。また、記録紙１００ａは左右方向にスライド可能なスライダー３３により、端部をガイドされており、斜行等が防止されている。
【００４２】
記録紙補助トレイ３１は、ヒンジ部３１ａを中心に矢印Ｃ方向に回転可能に構成されており、記録紙トレイ３２に収納できるようになっている。また、記録紙トレイ３２は、ヒンジ部３２ａを中心に矢印Ｄ方向に回転可能に構成されており、本体に突き当たるまで回転することができる。
【００４３】
図１０は記録紙トレイ３２を開いた状態の外観図を示し、図１１は記録紙トレイ３２を閉じた状態の外観図を示している。
【００４４】
なお、記録紙トレイ３２の開閉は、圧板２１（図７参照）の開閉とは干渉しないようになっており、お互いどの角度の状態であっても、開閉可能となっている。このように記録紙トレイ３２が折りたためることにより、通常使わない時は出っ張りがなくコンパクトにできるだけでなく、給紙部等に埃等が入るのも防止することができる。
【００４５】
以上のように構成により画像形成を行う動作について説明する。
【００４６】
記録紙トレイ３２に積載された記録紙１００ａは、図示しないカムにより中板３６が押し上げられ、給紙ローラ３４と分離ローラ３５により一枚に分離されて給送される。
【００４７】
この分離機構について簡単に説明する。実際に駆動されるのは給紙ローラ３４である。一方、分離ローラ３５は、回転方向に一定以上のトルクがかからないと回転しないように構成されている。そして、複数枚の紙がこのローラ間に入った場合には、紙を分離する力より、分離ローラを回転させる力の方が強いので、一枚ずつ記録紙を搬送することができる。
【００４８】
これらのローラで分離された紙は搬送ローラ３７ａとピンチコロ３７ｂとの間に搬送され、一定速度でインクジェット印字部に搬送される。
【００４９】
図１２はカートリッジドア１３３を開けた状態を示す斜視図である。
【００５０】
インクジェット印字部には、プリントヘッドを一体的に有するカートリッジ３９が設けられている。このカートリッジ３９には、カラーインクタンク３８ａとブラックインクタンク３８ｂが装着されている。
【００５１】
カートリッジ３９は、ガイドシャフト１３４にガイドされ、記録紙の送り方向に対して垂直方向に動かされることにより、記録紙に印字する。印字をした記録紙は、排紙ローラ対１３０ａ，１３０ｂにより、記録紙排紙トレイ１３１と、記録紙排紙補助トレイ１３２に排出される。
【００５２】
なお、カートリッジドア１３３を図１２の矢印Ｇ方向に開けることにより、通常、ユーザは外部からカラーインクタンク３８ａ及びブラックインクタンク３８ｂを交換することができる。
【００５３】
図１３に示すように、カートリッジドア１３３には、突起部１３３ａが設けられている。この突起部１３３ａは、カートリッジドア１３３の開閉時に、アクチュエータ１３５を押すように構成されている。これにより、アクチュエータ１３５は、制御基板４１の裏に実装されているフォトインタラプタ４２を遮ることで、フォトインタラプタ４２がカートリッジドアの開閉を検知している。
【００５４】
このように、カートリッジドア１３３の開閉を検知することにより、ドアが閉じた状態では、カートリッジ３９のヘッド部が乾燥してしまうのを防止するためにカートリッジ３９は図１２の右奥側に退避する。一方、カートリッジドア１３３が開いたことを検知すると、図１２に示す位置にカートリッジ３９が移動する。この位置に移動することで、ユーザはカラーインクタンク３８ａ及びブラックインクタンク３８ｂを交換できる。
【００５５】
記録紙排紙トレイ１３１及び記録紙排紙補助トレイ１３２について説明する。記録を行っていないときは、記録紙排紙補助トレイ１３２を矢印Ｅの方向にスライドさせ、記録紙排紙トレイ１３１の中に収納できる。さらに、記録紙排紙トレイ１３１は図２中矢印Ｆ方向に閉じることができ、最終的には図１に示す状態にすることができる。
【００５６】
逆に、装置外部から、カラーインクタンク３８ａ及びブラックインクタンク３８ｂを交換するには、まず、図２中矢印Ｆと反対方向に記録紙排紙トレイ１３１を開き、図９に示す状態にする。さらに、カートリッジドア１３３を図１２中矢印Ｇ方向に開くことにより交換等のメンテナンスを行うことができる。
【００５７】
このカートリッジドア１３３は、記録紙排紙トレイ１３１と違い、矢印Ｇの開く方向が横方向であるため、カートリッジ３９の手前側に、手を入れるスペースを広くできるメリットがある。
【００５８】
尚、本実施の形態で使用しているインクジェット記録方式に関しては、インク吐出を行わせるために利用されるエネルギーとして熱エネルギーを発生する手段（例えば電気熱変換体やレーザ光等）を備え、この熱エネルギーによりインクの状態変化を生起させる方式を採用できる。かかる方式によれば記録の高密度化、高精細化が達成できる。
【００５９】
その代表的な構成や原理については、例えば、米国特許第４７２３１２９号明細書、あるいは同第４７４０７９６号明細書に開示されている基本的な原理を用いて行うものが好ましい。
【００６０】
この方式はいわゆるオンデマンド型、コンティニュアス型のいずれにも適用可能である。
【００６１】
特に、オンデマンド型の場合には、次の点で有効である。オンデマンド型では、液体（インク）が保持されているシートや液路に対応して配置されている電気熱変換体に、記録情報に対応していて膜沸騰を越える急速な温度上昇を与える少なくとも１つの駆動信号を印加する。これにより、電気熱変換体に熱エネルギーを発生せしめ、記録ヘッドの熱作用面に膜沸騰を生じさせる。このようにして、結果的にこの駆動信号に１対１で対応した液体（インク）内の気泡を形成できる。
【００６２】
この気泡の成長、収縮により吐出用開口を介して液体（インク）を吐出させて、少なくとも１つの滴を形成する。この駆動信号をパルス形状にすると、即時適切に気泡の成長収縮が行われるので、特に応答性に優れた液体（インク）の吐出が達成でき、より好ましい。
【００６３】
このパルス形状の駆動信号としては、米国特許第４４６３３５９号明細書、同第４３４５２６２号明細書に記載されているようなものが適している。なお、上記熱作用面の温度上昇率に関する発明の米国特許第４３１３１２４号明細書に記載されている条件を採用すると、さらに優れた記録を行うことができる。
【００６４】
記録ヘッドの構成としては、上述の各明細書に開示されているような吐出口，液路，電気熱変換体の組み合わせ構成（直線状液流路または直角液流路）の他に熱作用面が屈曲する領域に配置されている構成を開示する米国特許第４５５８３３３号明細書、米国特許第４４５９６００号明細書を用いた構成も採用することができる。加えて、複数の電気熱変換体に対して、共通するスロットを電気熱変換体の吐出部とする構成を開示する特開昭５９−１２３６７０号公報や熱エネルギーの圧力波を吸収する開口を吐出部に対応させる構成を開示する特開昭５９−１３８４６１号公報に基づいた構成としても良い。
【００６５】
さらに、記録装置が記録できる最大記録媒体の幅に対応した長さを有するフルラインタイプの記録ヘッドとしては、上述した明細書に開示されているような複数記録ヘッドの組み合わせによってその長さを満たす構成や、一体的に形成された１個の記録ヘッドとしての構成のいずれでもよい。
【００６６】
加えて、装置本体に装着されることで、装置本体との電気的な接続や装置本体からのインクの供給が可能になる交換自在のチップタイプの記録ヘッド、あるいは記録ヘッド自体に一体的にインクタンクが設けられたカートリッジタイプの記録ヘッドを用いてもよい。
【００６７】
また、本実施の形態に係る画像処理装置の構成として設けられる、記録ヘッドに対しての回復手段、予備的な補助手段等を付加することは画像形成機能を一層安定にできるので好ましいものである。これらを具体的に挙げれば、記録ヘッドに対してのキャッピング手段、クリーニング手段、加圧あるいは吸引手段、電気熱変換体あるいはこれとは別の加熱素子あるいはこれらの組み合わせによる予備加熱手段、記録とは別の吐出を行う予備吐出モードを行うことも安定した画像形成を行うために有効である。
【００６８】
さらに、画像処理装置の画像形成モード（記録モード）として黒色等の主流色のみの記録モードで画像形成するだけではなく、記録ヘッドを一体的に構成するか複数個の組み合わせによるカラーの記録モードで画像形成することも可能である。また、異なる色の複色カラー、または混色によるフルカラーの少なくとも１つを備えた装置とすることもできる。
【００６９】
次に電気基板部について説明する。
【００７０】
図１４は、全体の電気基板の構成とその周辺の構成を示す斜視図である。
【００７１】
ボトムケース３００に電源４５が取り付けてあり、その上から画像形成部３が設けられている。電源４５のインレット４５ａは外部より電源コードが取り付けられる。インレット４５ａは抜き差し時に根元に力がかかり基板から引き剥がされる力がかかるため、電源窓１４０をつけてボトムケース３００にインレット１４０ａを直接ネジ止めしている。
【００７２】
図１７は電源部の詳細を示す斜視図である。図１７に示すように、インレット溝４５ｂに電源窓端部１４０ｃが入り、電源窓穴１４０ｂとボトムケースビス穴３００ａとがネジ止めされる。
【００７３】
中継基板４４には、画像形成部３のモータのコネクタ４６ａ，４６ｂ，記録紙の位置を検出するフォトインタラプタ４７，中板３６を押し下げるカムの位置を検出するフォトインタラプタ４８が実装されている。これらは、コネクタ４９から、まとめて制御基板４１と接続されている。これにより、制御基板４１との接続が集中できるため、組立が容易になる。
【００７４】
画像形成部３の上にはミドルフレーム２００を取り付けている。ミドルフレーム２００には、制御基板４１と、前述のカード基板５１がほぼ同一の高さに取り付けてある。制御基板４１は、本体では後方に取り付けてある。また、制御基板４１には、図６に示すようにＵＳＢコネクタ４３が実装されており、図１１に示す背面カバーの開口部と符合している。
【００７５】
図６と図１５に示したように、ミドルフレームの左面２００ａは基板取り付け面より高くなっている。これは、前述のカラーインクタンク３８ａ及びブラックインクタンク３８ｂ交換の際のカートリッジ３９の交換位置の上に当る位置であり、カートリッジ３９の上の天井を高くすることにより、手の入るスペースを確保したものである。また、ミドルフレームの左端２００ｂは基板取り付け面と同じ高さになっている。これにより、読取部２の駆動ギア部１２２が出っ張っており、それが収まるスペースとなっている。
【００７６】
図１６は、図１５に示した状態で、更にパネル部１を取り付けた図である。前述のように、パネル部１はカードスロット部５のほぼ真上に配置されており、制御基板４１との接続が容易となっている。
【００７７】
このように基板配置された状態で、図１４において、読取部２が上から収まる構成となっている。以上のような、電気基板構成にすることにより、デッドスペースがほとんどなく、効率的にかつ、使いやすいレイアウトにできている。
【００７８】
次に本画像処理装置のオペレーションの一例について説明する。図１のパネル部のキーを操作することにより、動作させる。たとえば、コピーを行うときの操作について図３を参照して説明する。
【００７９】
まず、電源キー１２ｆを押す。次に、機能キー１２ｃでコピーキーを選択する。メニューキーで、画質、記録させるメディアを選択、矢印キー１２ａでコピー枚数を設定する。カラー選択キー１２ｂで、カラーコピーか白黒コピーかを選択する。その後、圧板２１を開けて、コピーしたい原稿をガラス２３上にセットする。記録紙を記録紙トレイ３２にセットし、最後にパネル部１のスタートキー１２ｅを押すと、コピー出来る。このように、パネル部１のキーは、操作する順番に左から右に操作することにより、すべての操作を、抜けなく自然に行うことができるように配置されている。操作方法の例として、コピーで説明したが、最初の機能キー１２ｃで、スキャンを選択すると、ＵＳＢ４３を通じて接続されているＰＣからのスキャンをさせることができる。また、写真を選択すると、前述のカードスロット部５に挿入されている画像を直接画像形成部３によって画像形成させることができる。
【００８０】
【発明の効果】
以上説明したように、本発明により、操作部周辺の薄型化を図ることができる。
【図面の簡単な説明】
【図１】本発明の実施の形態に係る画像処理装置の外観斜視図である。
【図２】本発明の実施の形態に係る画像処理装置の中央断面図である。
【図３】本発明の実施の形態に係る画像処理装置のパネル部の拡大斜視図である。
【図４】本発明の実施の形態に係る画像処理装置のパネル部の部分断面図である。
【図５】本発明の実施の形態に係る画像処理装置のパネル部の裏面図である。
【図６】本発明の実施の形態に係る画像処理装置のパネル部を取り外した状態を示す斜視図である。
【図７】本発明の実施の形態に係る画像処理装置の圧板を開いた状態を示す斜視図である。
【図８】本発明の実施の形態に係る画像処理装置における画像読取部の内部構造図である。
【図９】本発明の実施の形態に係る画像処理装置におけるトレイを開いた状態を示す外観斜視図である。
【図１０】本発明の実施の形態に係る画像処理装置におけるトレイを開いた状態を示す背面側の外観斜視図である。
【図１１】本発明の実施の形態に係る画像処理装置におけるトレイを閉じた状態を示す背面側の外観斜視図である。
【図１２】本発明の実施の形態に係る画像処理装置におけるカートリッジドアを開いた状態を示す外観斜視図である。
【図１３】本発明の実施の形態に係る画像処理装置におけるカートリッジドアのセンサ配置図である。
【図１４】本発明の実施の形態に係る画像処理装置における全体の電気基板の構成とその周辺の構成を示す斜視図である。
【図１５】本発明の実施の形態に係る画像処理装置における電気基板取り付けの平面図である。
【図１６】本発明の実施の形態に係る画像処理装置における電気基板取り付けかつパネル部を取り付けた状態図である。
【図１７】本発明の実施の形態に係る画像処理装置における電源部の詳細を示す斜視図である。
【図１８】従来技術に係る画像処理装置の模式的斜視図である。
【符号の説明】
１　パネル部
２　読取部
３　画像形成部
５　カードスロット部
１１　パネルカバー
１２　キー
１３　ＬＣＤ窓
１４　ＬＣＤ
１５　スペーサ
１６　パネル基板
１７　電解コンデンサ
１９　タクトスイッチ
２１　圧板
２２　圧板白シート
２３　ガラス
２５　軸
２６　タイミングベルト
２７　ホルダー
２８　モータ
２９　プーリー
３０　ベース
３１　記録紙補助トレイ
３１ａ　ヒンジ部
３２ａ　ヒンジ部
３２　記録紙トレイ
３３　スライダー
３４　給紙ローラ
３５　分離ローラ
３６　中板
３７ａ　搬送ローラ
３７ｂ　ピンチコロ
３８ａ　カラーインクタンク
３８ｂ　ブラックインクタンク
３９　カートリッジ
４１　制御基板
４２　フォトインタラプタ
４３　コネクタ
４４　中継基板
４５　電源
４５ａ　インレット
４５ｂ　インレット溝
４６ａ，４６ｂ　コネクタ
４７　フォトインタラプタ
４８　フォトインタラプタ
４９　コネクタ
５１　カード基板
５２　カードコネクタ部
５３　イジェクトボタン
５４　挿入口
１００ａ　記録紙
１２０　スキャナフレーム
１２２　駆動ギア部
１２３　基準白
１２４ａ，１２４ｂ　ヒンジ
１２５　カバー
１３０ａ，１３０ｂ　排紙ローラ対
１３１　記録紙排紙トレイ
１３２　記録紙排紙補助トレイ
１３３　カートリッジドア
１３３ａ　突起部
１３４　ガイドシャフト
１３５　アクチュエータ
１４０　電源窓
１４０ａ　インレット
１４０ｂ　電源窓穴
１４０ｃ　電源窓端部
２００　ミドルフレーム
２００ａ　左面
２００ｂ　左端
３００　ボトムケース
３００ａ　ボトムケースビス穴
【図１】
2004098347.tif 000003
【図２】
2004098347.tif 000004
【図３】
2004098347.tif 000005
【図４】
2004098347.tif 000006
【図５】
2004098347.tif 000007
【図６】
2004098347.tif 000008
【図７】
2004098347.tif 000009
【図８】
2004098347.tif 000010
【図９】
2004098347.tif 000011
【図１０】
2004098347.tif 000012
【図１１】
2004098347.tif 000013
【図１２】
2004098347.tif 000014
【図１３】
2004098347.tif 000015
【図１４】
2004098347.tif 000016
【図１５】
2004098347.tif 000017
【図１６】
2004098347.tif 000018
【図１７】
2004098347.tif 000019
【図１８】
2004098347.tif 000020